(57)【特許請求の範囲】
【請求項１】
３相４線式の交流電源のうち何れか１つのＬ線と３相４線式の交流電源の中性線と接続される電源装置と、
ケーブルを介して他の機器と接続され、他の機器と通信を行うための通信Ｉ／Ｆ部と、
中性線を接続すべき端子に接地線を接続し、接地線を接続すべき端子に中性線を接続する誤配線がなされたコンセントである誤配線コンセントが建物内にあるか否かをフレームグランドの電圧変動に基づき判定するための回路であって、判定結果に応じたレベルの信号である判定信号を出力する判定回路と、
前記判定信号に基づき前記誤配線コンセントがあるか否かを認識し、前記誤配線コンセントがあると認識したとき、誤配線に関するメッセージを表示パネルに表示させる制御部と、を含むことを特徴とする画像形成装置。
【請求項２】
前記通信Ｉ／Ｆ部のコネクターのグランドとフレームグランドの間に設けられた電流検知抵抗を含み、
前記判定回路は、前記電流検知抵抗の両端の電位差を測ることより前記判定信号を生成することを特徴とする請求項１に記載の画像形成装置。
【請求項３】
前記通信Ｉ／Ｆ部のコネクターのグランドとフレームグランドの間に、前記電流検知抵抗に対して並列に設けられたバイパススイッチ回路を含み、
前記制御部は、前記誤配線コンセントがあるか否かを検知する期間内では、前記電流検知抵抗に電流が流れ、前記バイパススイッチ回路に電流が流れないように前記バイパススイッチ回路をＯＦＦ状態とし、前記判定信号に基づき前記誤配線コンセントがあるか否かを検知しない期間では、前記電流検知抵抗に電流に流れず、前記バイパススイッチ回路に電流が流れるように前記バイパススイッチ回路をＯＮ状態とすることを特徴とする請求項２に記載の画像形成装置。
【請求項４】
前記電源装置は、３相４線式の交流電源からの電力に基づき直流電圧を生成する絶縁型のＡＣ−ＤＣ電源回路と、
前記ＡＣ−ＤＣ電源回路とフレームグランドの間に設けられたコンデンサーを含み、
前記判定回路は、前記コンデンサーの両端の電位差を測ることより前記判定信号を生成することを特徴とする請求項１に記載の画像形成装置。
【請求項５】
前記判定回路は、測定する部分の電位差を半波整流するとともに整流した電圧を平滑化する入力フィルター回路と、前記入力フィルター回路の出力を増幅する計装アンプ回路と、前記計装アンプ回路の出力電圧と基準電圧とを比較し、前記基準電圧よりも前記計装アンプ回路の出力電圧の方が大きいとき、前記誤配線コンセントがある旨を示すレベルの信号を前記判定信号として出力し、前記計装アンプ回路の出力電圧が前記基準電圧以下のとき、前記誤配線コンセントが無い旨を示すレベルの信号を前記判定信号として出力する比較回路と、含むことを特徴とする請求項１乃至４の何れか１項に記載の画像形成装置。
【請求項６】
前記制御部は、画像形成装置がジョブを実行しているとき、前記前記判定信号に基づく前記誤配線コンセントがあるか否かの認識を行わないことを特徴とする請求項１乃至５のいずれか１項に記載の画像形成装置。
【発明の詳細な説明】
【技術分野】
【０００１】
本発明は、３相４線式の交流電源に接続される画像形成装置に関する。
【背景技術】
【０００２】
建物の新築や改修のとき、屋内配線の工事がなされる。例えば、単相３線式の配線工事では、各部屋に設けられるコンセントに、Ｌ線、中性線、接地線を接続する。しかし、配線工事で、配線を間違えてしまう（コンセントの端子に不適切な線を接続する）場合がある。そこで、配線が誤っているか否かを判別する試験器の一例が特許文献１に記載されている。
【０００３】
具体的に特許文献１には、第１の周波数の単相交流電圧を供給するＬ（Line）線が接続された第１の端子と、Ｎ（Neutral）線が接続されるべき第２の端子と、Ｅ（Earth）線が接続されるべき第３の端子と、を含むコンセントに対し、第２の端子と第３の端子との間に第１の周波数と異なる第２の周波数を含む電流を流し、第１の端子と第２の端子との間の電圧信号を計測し、第１の端子と第３の端子との間の電圧信号を計測し、計測された各電圧信号にそれぞれ含まれる第２の周波数に相当する周波数成分の大小関係を検出してＮ線及びＥ線が誤って配線されていないかを判別する配線確認試験器が記載されている（特許文献１：請求項１、図２、図３参照）。
【先行技術文献】
【特許文献】
【０００４】
【特許文献１】特開２０１２−２５５７１２号公報
【発明の概要】
【発明が解決しようとする課題】
【０００５】
３相４線式の交流電源では、（変圧器二次側の）Ｙ結線の一端から引き出されるＬ線（電圧線、活性線）とＹ結線の中性点に接続された中性線との間に負荷が接続される。Ｌ線から流れ出た電流は、中性線を経て戻る。３相４線式の配電は、中国やインドを初め、世界の国々で採用されている。
【０００６】
正常に配線されたコンセントに画像形成装置を接続しているが、建物内のコンセントのうち、一部のコンセントで誤った配線がなされたがあるとき、その影響によって画像形成装置に故障が生ずる場合があるという問題がある。図７を用いてこの問題を説明する。図７は、誤配線の影響によって画像形成装置で生ずる故障の説明図である。
【０００７】
図７のうち、電気機器７００が接続されたコンセントは、接地線用の端子（差込口）が中性線が接続され、中性線用の端子（差込口）に接地線が接続され、配線の入れ違いがある。言い換えると、電気機器７００は、接地線と中性線を入れ違える配線ミスのあるコンセントに接続されている。尚、電気機器７００は、図７に示すように、エアコンのような電気により動作する装置である（エアコンでなくてもよい）。尚、図７の例では、画像形成装置８００のコンセントの接地線に、電気機器７００のコンセントの中性線が接続される。また、図７のうち、画像形成装置８００とＰＣ９００は、正常なコンセント（配線ミスのないコンセント）に接続されている。
【０００８】
画像形成装置８００は、複合機やプリンターである。そして、図７に示すように、印刷用データをＰＣ９００から画像形成装置８００に送信するため、ケーブルを介し、画像形成装置８００とＰＣ９００を通信可能（電気的に）に接続する場合がある。画像形成装置８００とＰＣ９００の接続には、ＵＳＢ規格に基づくインターフェイスが用いられることが多い。
【０００９】
図７に示すような誤配線のコンセントに接続された電気機器７００は、本来中性線に流すべき交流電流を接地線に流し込む。電気機器が接地線に交流電流を流すと、接地線の交流電位が変動する。電気機器７００は、本来中性線に流すべき交流電流を接地線に流すことにより、同じ建物内のコンセントに接続された各機器（図７の例では、画像形成装置８００とＰＣ９００）のフレームグランドの電位に差を生じさせる。また、建物の構造にもよるが、接地線は、一般に中性線よりも高インピーダンスであるため、フレームグランドの電位差が無視できないほどになる場合がある。
【００１０】
図７のように、画像形成装置８００とＰＣ９００はケーブルを接続されている。この接続にＵＳＢのような非絶縁型のインターフェイス回路が用いられていて、画像形成装置８００とＰＣ９００間のフレームグランド間の電位差があると、インターフェイス回路のグランドやケーブルのグランド線に交流電流ｉ０が流れる。交流電流ｉ０によるジュール熱によって、インターフェイス回路の温度が上昇し、その結果、インターフェイス回路で故障が生ずる場合がある。なお、インターフェイス回路は、通常、大電流を流すようには設計されてはいない。このように、中性線用の差込口（端子）に接地線を、接地線用の差込口（端子）に中性線を誤って接続したコンセントが建物内にあるとき、誤配線のコンセントに接続された電気機器の出力電流の影響によって画像形成装置のインターフェイス回路に故障が生ずる場合があるという問題がある。
【００１１】
尚、特許文献１記載のように、一般に、配電試験器（検電器）は、配電試験器を接続したコンセントの配線が正しいか否かを判断する。しかし、建物内の他のコンセントで誤った配線がなされたコンセントがあるか否かを検知することはできない。そのため、配電試験器を接続したコンセント以外のコンセントに誤配線コンセントがあっても、画像形成装置のインターフェイス回路の故障がするか否かを判断することはできない。
【００１２】
本発明は、上記従来技術の問題点に鑑み、建物内に中性線用の端子に接地線を、接地線用の端子に中性線を接続した誤配線コンセントが有るか否かを検知し、誤配線コンセントの影響に起因する画像形成装置での故障発生を防ぐ。
【課題を解決するための手段】
【００１３】
上記課題解決のため、請求項１に係る画像形成装置は、電源装置と、通信Ｉ／Ｆ部と、判定回路と、制御部と、を含む。電源装置は、３相４線式の交流電源のうち何れか１つのＬ線と３相４線式の交流電源の中性線と接続される。通信Ｉ／Ｆ部は、ケーブルを介して他の機器と接続され、他の機器と通信を行う。判定回路は、中性線を接続すべき端子に接地線を接続し、接地線を接続すべき端子に中性線を接続する誤配線がなされたコンセントである誤配線コンセントが建物内にあるか否かをフレームグランドの電圧変動に基づき判定するための回路であって、判定結果に応じたレベルの信号である判定信号を出力する。制御部は、前記判定信号に基づき前記誤配線コンセントがあるか否かを認識し、前記誤配線コンセントがあると認識したとき、誤配線に関するメッセージを表示パネルに表示させる。
【発明の効果】
【００１４】
本発明によれば、建物内に誤配線コンセント（中性線用の端子に接地線を、接地線用の端子に中性線を接続したコンセント）の有無を検知することができる。そして、誤配線コンセントがあることを使用者に知らせることができる。また、誤配線コンセントの影響による画像形成装置での故障発生を防ぐ。
【図面の簡単な説明】
【００１５】
【図１】実施形態に係る複合機の一例を示す図である。
【図２】実施形態に係る複合機が設置された同一の建物内での電力供給の一例を示す図である。
【図３】実施形態に係る電流検知抵抗とバイパススイッチ回路の一例を示す図である。
【図４】実施形態に係る判定回路の一例を示す図である。
【図５】実施形態に係る複合機での誤配線コンセントの有無の判定処理の流れの一例を示すフローチャートである。
【図６】実施形態に係る複合機の表示パネルに表示されるメッセージ画面の一例を示す図である。
【図７】誤配線の影響によって画像形成装置で生ずる故障の説明図である。
【発明を実施するための形態】
【００１６】
以下、図１〜図６を用いて本発明の実施形態を説明する。以下の説明では、複合機１００（画像形成装置に相当）を例に挙げて説明する。但し、本実施の形態に記載されている構成、配置等の各要素は、発明の範囲を限定するものではなく単なる説明例にすぎない。
【００１７】
（複合機１００の概略）
次に、図１に基づき、実施形態に係る複合機１００を説明する。図１は実施形態に係る複合機１００の一例を示す図である。
【００１８】
図１に示すように、複合機１００は、制御部１を含む。制御部１は、複合機１００の動作を制御する。制御部１は、ＣＰＵ１０、画像処理部１２のような回路を含む。記憶部１１は、ＲＯＭ、ＲＡＭ、ＨＤＤのような記憶装置を含む。記憶部１１は、制御用のプログラム、制御用データや画像データなどを記憶する。ＣＰＵ１０は、記憶部１１に記憶されるプログラム、データに基づき複合機１００の各部の制御や、各種の演算処理を行う。画像処理部１２は、濃度変換、拡大、縮小、回転、データ形式変換のような印刷や送信に用いる画像データへの画像処理を施す。処理後の画像データは、画像形成部４ｃでのトナー像形成や、送信に用いられる。
【００１９】
図１に示すように、複合機１００は、操作パネル２を含む。操作パネル２は、複合機１００の状態、各種メッセージ、各種設定画面を表示する表示パネル２１を備える。また、表示パネル２１の上面にタッチパネル部２２が設けられる。制御部１は、タッチパネル部２２の出力に基づき、使用者のタッチした操作画像（ソフトキー、ボタン、タブ、チェックボックスのような画像）を認識する。また、操作パネル２には、スタートキーやテンキーのような複数のハードキー２３も設けられる。制御部１は、操作画像へのタッチやハードキー２３の操作に応じて表示パネル２１の表示を切り替えさせる。なお、操作パネル２には、制御部１の指示に基づき操作パネル２に関する表示制御を行い、タッチ操作やキー操作を認識するパネル制御部を設けてもよい。
【００２０】
また、複合機１００は、原稿搬送部３ａと画像読取部３ｂを含む。原稿搬送部３ａは、セットされた原稿を１枚ずつ送り読取用コンタクトガラス（読取位置、不図示）に向けて連続的、自動的に搬送する。画像読取部３ｂは、送り読取用コンタクトガラスを通過する原稿や、載置読取用コンタクトガラス（不図示）にセットされた原稿を読み取り、画像データを生成する。制御部１は、原稿搬送部３ａ、画像読取部３ｂとバスのような信号線で接続される。そして、制御部１は、コピー、スキャン、送信のようなジョブのとき、原稿搬送部３ａ、画像読取部３ｂの動作を制御する。
【００２１】
また、複合機１００は、印刷を行う印刷部４（給紙部４ａ、搬送部４ｂ、画像形成部４ｃ、定着部４ｄ）を含む。給紙部４ａは、複数の用紙を収容し、印刷を行うとき、用紙を１枚ずつ搬送部４ｂに送り出す。搬送部４ｂは、給紙部４ａから供給された用紙を搬送する。画像形成部４ｃは、画像データに基づきトナー像を形成し、搬送される用紙にトナー像を転写する。定着部４ｄは、用紙に転写されたトナー像を定着させる。トナー定着後の用紙は、排出トレイ（不図示）に排出される。また、制御部１は、印刷部４とバスのような信号線で接続される。そして、制御部１は、印刷を伴うジョブのとき、印刷部４の動作を制御する。尚、画像形成や各種回転体を回転させるモーターのＯＮ／ＯＦＦを制御し印刷部４を実際に制御するエンジン制御部を別途設けてもよい。
【００２２】
複合機１００は、通信Ｉ／Ｆ部５（通信インターフェイス部）を含む。通信Ｉ／Ｆ部５は通信用の回路、メモリー、コネクター５０などを含む。通信Ｉ／Ｆ部５は、ケーブル３００によりＰＣ２００と通信可能に接続される。ＰＣ２００にも、通信Ｉ／Ｆ部５と同じ規格に準拠した通信Ｉ／Ｆ部２０１（通信インターフェイス部）が設けられる。規格としては、ＵＳＢ、ＨＤＭＩ（登録商標）、ＩＥＥＥ１２８４などがある。
【００２３】
そして、複合機１００の通信Ｉ／Ｆ部５は、ＰＣ２００（通信Ｉ／Ｆ部２０１）から印刷用データを受信する。制御部１は、印刷用データに基づき、トナー像形成用の画像データを生成し、生成した画像データに基づく印刷を印刷部４に行わせる（プリンター機能）。尚、社内ネットワークのようなＬＡＮ４００を介し、通信Ｉ／Ｆ部５（複合機１００）とＰＣ２００を通信可能に接続することもできる。また、ＰＣ２００の通信Ｉ／Ｆ部２０１からネットワーク経由で印刷用データを通信Ｉ／Ｆ部５に送信することもできる。
【００２４】
（３相４線式での複合機１００への電力供給）
次に、図２を用いて、３相４線式での複合機１００への電力供給を説明する。図２は、実施形態に係る複合機１００が設置された同一の建物内での電力供給の一例を示す図である。
【００２５】
実施形態に係る複合機１００は、３相４線式の交流電源Ｐから電力供給を受ける。具体的に、複合機１００は、差込プラグ６１を有する電源ケーブル６によって、３相４線式対応のコンセント７に接続される。複合機１００は、コンセント７（商用電源）から供給される電力を利用して動作する。図２では、差込口を示す「○」印を３つ含む矩形を建物に設けられるコンセント７として示している。また、機器側の差込プラグ６１（電源ケーブル６）を３つの矩形を含む矩形で示している。３つの矩形内のそれぞれに接続すべき線の名前を付している。
【００２６】
複合機１００には、電源装置８が設けられる。電源装置８は、整流、昇圧、降圧などを行って、複合機１００の動作に必要な電圧を生成する。例えば、電源装置８は、モーター駆動用のＤＣ２４Ｖ、５Ｖ、３．３Ｖ、２．５Ｖ、１．８Ｖのような回路駆動用の電圧を生成する。
【００２７】
図２に示すように、複合機１００は、１次電源として、絶縁型のＡＣ−ＤＣ電源回路８１を含む。例えば、ＡＣ−ＤＣ電源回路８１は、トランスやスイッチング素子を含むスイッチング方式の電源でありモーター駆動用の電圧を生成する。トランスを含むとき、ＡＣ−ＤＣ電源回路８１は、１次側（商用電源側）と、２次側（出力側）が絶縁された関係となる。電源装置８は、複数種のＤＣＤＣコンバーター（不図示）も含む。電源装置８は、ＡＣ−ＤＣ電源回路８１が生成した電圧を各ＤＣＤＣコンバーターで降圧し、回路駆動用の電圧を複数種生成する。また、ＡＣ−ＤＣ電源回路８１は、コンデンサーＣ０を介して接地される。
【００２８】
図２に示すように、ＡＣ−ＤＣ電源回路８１は、コンセント７と差込プラグ６１（電源ケーブル６）を介し、３相４線式の交流電源ＰのＬ線のうちの何れか１つ（図２の例では、Ｌ１）と中性線に接続される。ＡＣ−ＤＣ電源回路８１が動作すると、電流は、Ｌ１と中性線間で流れる。
【００２９】
（誤配線コンセント７０と誤配線の影響）
次に、図２を用いて、誤配線のあるコンセント７と、誤配線による影響を説明する。
【００３０】
図２は、建物内（同一構内、同一建屋内）に設けられたコンセント７のうち、３つのコンセント７に、それぞれ電気機器４００、複合機１００、ＰＣ２００を接続した例を示している。なお、電気機器４００は、図２で例として示すエアコンに限らず、洗濯機や掃除機のような他種の家電製品でもよい。
【００３１】
図２の例では、電気機器４００、複合機１００、ＰＣ２００が接続されるコンセント７のうち、複合機１００とＰＣ２００のコンセント７は正しい配線がなされたコンセント７である。具体的に、複合機１００、ＰＣ２００のコンセント７では、電圧線（活性線）用の差込口に３相４線式の交流電源ＰのＬ１が接続されている。また、複合機１００、ＰＣ２００のコンセント７では、中性線用の差込口に中性線が接続されている。また、複合機１００、ＰＣ２００のコンセント７では、接地線用の差込口は接地されている。つまり、複合機１００、ＰＣ２００が接続されたコンセント７は、正常に配線されたコンセント７である。
【００３２】
図２の例では、電気機器４００、複合機１００、ＰＣ２００が接続されるコンセント７のうち、電気機器４００が接続されているコンセント７は誤った配線がなされた誤配線コンセント７０である。具体的に、電気機器４００のコンセント７では、電圧線（活性線）用の差込口に３相４線式の交流電源ＰのＬ１が接続され、Ｌ１は正常である。しかし、電気機器４００が接続されたコンセント７では、中性線用の差込口に接地線が接続され、接地線用の差込口に中性線が接続されている。つまり、接地線と中性線を入れ違いに配線しており、電気機器４００が接続されたコンセント７は、誤配線コンセント７０である。また、図２は、屋内配線の関係によって、複合機１００のコンセント７の接地線と、誤配線コンセント７０の中性線用の差込口が接続されている例を示す。
【００３３】
コンセント７の接地線用差込口に中性線を接続する誤配線があると、誤配線コンセント７０に接続された電気機器４００が中性線に流す電流はグランドに流れ込む。建物の構造にもよるが、接地線の抵抗値は、中性線よりも基本的に大きい。このため、誤配線コンセント７０に接続された電気機器４００に流れる交流電流は、中性線に電流を流す場合に比べて、グランドの電位を揺らす。
【００３４】
ここで、図２に示すように、複合機１００とＰＣ２００は、データの送受信のため、通信用のケーブル３００で電気的に接続されることが多い。図２の例では、複合機１００の通信Ｉ／Ｆ部５（インターフェイス回路）と、ＰＣ２００の通信Ｉ／Ｆ部２０１（インターフェイス回路）がケーブル３００で接続されている。複合機１００をプリンターとして用いる場合、ＰＣ２００から複合機１００に印刷用のデータが送信される。また、画像読取部３ｂの読み取りにより得られた画像データをＰＣ２００に送信する場合もあり得る。
【００３５】
これらのケーブル通信は、ＵＳＢ規格に基づき行われることが多い。ＵＳＢ規格を採用する場合、複合機１００の通信Ｉ／Ｆ部５とＰＣ２００の通信Ｉ／Ｆ部２０１は、ＵＳＢ規格のコントローラーやコネクターのような回路、部材を含む。複合機１００の通信Ｉ／Ｆ部５とＰＣ２００の通信Ｉ／Ｆ部２０１が内蔵するメモリーには、ＵＳＢ規格に基づく通信用のデータやプログラムが記憶される。また、ＵＳＢ規格に基づく通信ケーブル３００が通信Ｉ／Ｆ部５と通信Ｉ／Ｆ部２０１のそれぞれに接続される。
【００３６】
そして、建物内に誤配線コンセント７０があり、誤配線コンセント７０に接続された電気機器４００が動作して中性線に流すべき電流をグランド（接地線）に流すと、グランドの抵抗成分によって、接地線の電圧が持ち上げられる。誤配線コンセント７０が接地線に流す電流は、複合機１００のフレームグランドとＰＣ２００のフレームグランドに電位差を生じさせる。
【００３７】
複合機１００とＰＣ２００は、通信用のケーブル３００によって電気的に接続されている。通信用のインターフェイスがＵＳＢのような非絶縁性のものであるとき、フレームグランドの電位差によって、インターフェイスのグランド線に異常な交流電流が流れる（図２において、異常な交流電流ｉ１の経路を破線で図示）。異常な交流電流がインターフェイス内の抵抗に流れると、ジュール熱が生ずる。
【００３８】
複合機１００やＰＣ２００の電源が入れられているか否かによらず、複合機１００とＰＣ２００が非絶縁型の通信用のケーブル３００で接続され、誤配線コンセント７０に接続された電気機器４００が動作している間、複合機１００とＰＣ２００間、ずっと異常な交流電流が流れる可能性がある。インターフェイス内の抵抗の温度が高くなりすぎると、通信Ｉ／Ｆ部５や通信Ｉ／Ｆ部２０１の回路内で破損が生ずる。このような破損は避ける必要がある。
【００３９】
そこで、実施形態に係る複合機１００には、誤配線コンセント７０の有無を判定するための判定回路９が設けられる（図２参照）。具体的に、判定回路９は、中性線を接続すべき端子に接地線を接続し、接地線を接続すべき端子に中性線を接続する誤配線コンセント７０が建物内にあるか否かを判定する。そして、判定回路９は、判定結果に応じたレベルの信号である判定信号Ｓ１を出力する（詳細は後述）。
【００４０】
（判定回路９が判定に用いる電圧）
次に、図２、図３を用いて、実施形態に係る判定回路９が判定に用いる電圧の一例を説明する。図３は、実施形態に係る電流検知抵抗Ｒ１とバイパススイッチ回路ＳＷ１の一例を示す図である。
【００４１】
本実施形態の複合機１００の判定回路９は、フレームグランドの変動によって電位差が変化する２点間であって、複合機１００の回路内の予め定められた２点間の電圧（計測電圧）を取り込み、誤配線コンセント７０があるか否かの判定を行う。
【００４２】
具体的に、本実施形態の複合機１００では、通信Ｉ／Ｆ部５内に設けられた電流検知抵抗Ｒ１の両端（予め定められた２点間）の電圧（第１計測電圧）を判定に用いる。また、ＡＣ−ＤＣ電源回路８１とフレームグランドの間に接続されたコンデンサーＣ０の両端（予め定められた２点間）の電圧（第２計測電圧）を判定に用いてもよい。図２では、第１計測電圧と第２計測電圧の両方を判定回路９に入力する例を示している。しかし、第１計測電圧と第２計測電圧の何れか一方の電圧に基づき、判定回路９は誤配線コンセント７０の有無を判定できる。そのため、第１計測電圧と第２計測電圧のうち、判定回路９に入力する電圧はいずれか一方でよい。
【００４３】
〈第１計測電圧〉
まず、判定回路９が、電流検知抵抗Ｒ１の両端の電圧（第１計測電圧）に基づき判定する場合を説明する（図３参照）。この場合、通信Ｉ／Ｆ部５内の回路であって、誤配線コンセント７０があるときに流れる交流電流の経路上に電流検知抵抗Ｒ１が設けられる。具体的に、通信Ｉ／Ｆ部５のコネクター５０のグランド線（グランド端子）とフレームグランドの間に電流検知抵抗Ｒ１が設けられる（図３参照）。誤配線コンセント７０が中性線に流すべき電流が接地線に流すと、電流検知抵抗Ｒ１に交流電流が流れる。判定回路９は、電流検知抵抗Ｒ１に流れる電流を電圧に変換した電圧に基づき判定を行う。
【００４４】
なお、誤配線コンセント７０があるとき、誤配線コンセント７０に接続された電気機器４００が動作している間、電流検知抵抗Ｒ１に電流が流れ続ける可能性がある。電流検知抵抗Ｒ１の過剰な温度上昇を防ぐことが必要である。そこで、電流検知抵抗Ｒ１に対して並列にバイパススイッチ回路ＳＷ１が設けられる（図３参照）。具体的に、バイパススイッチ回路ＳＷ１は、通信Ｉ／Ｆ部５のコネクター５０のグランド線（グランド端子）とフレームグランドの間であって、電流検知抵抗Ｒ１に対して並列に設けられる。
【００４５】
バイパススイッチ回路ＳＷ１は、半導体スイッチのようなスイッチ素子を含む回路である。制御部１のＣＰＵ１０は、バイパススイッチ回路ＳＷ１のＯＮ／ＯＦＦを制御する。バイパススイッチ回路ＳＷ１をＯＮ状態にすると、バイパススイッチ回路ＳＷ１に流れ、電流検知抵抗Ｒ１に電流を流さないようにすることができる。バイパススイッチ回路ＳＷ１をＯＦＦ状態にすると、バイパススイッチ回路ＳＷ１に流れず、電流検知抵抗Ｒ１に電流が流れる。
【００４６】
制御部１のＣＰＵ１０は、誤配線コンセント７０があるか否かの判定を行うとき、バイパススイッチ回路ＳＷ１をＯＦＦ状態とする。一方、誤配線コンセント７０があると判定されたときや、複合機１００の通信Ｉ／Ｆ部５が何らかの通信をＰＣ２００の通信Ｉ／Ｆ部２０１と行っているときのように、判定信号Ｓ１に基づき誤配線コンセント７０があるか否かを検知していない期間、制御部１は、バイパススイッチ回路ＳＷ１をＯＮ状態とする。
【００４７】
〈第２計測電圧〉
次に、判定回路９が、ＡＣ−ＤＣ電源回路８１とフレームグランドの間に接続されたコンデンサーＣ０の両端の電圧（第２計測電圧）に基づき判定する場合を説明する（図２参照）。上述のように、電源装置８は、３相４線式の交流電源Ｐからの電力に基づき直流電圧を生成する絶縁型のＡＣ−ＤＣ電源回路８１を含む。そして、ＡＣ−ＤＣ電源回路８１（のトランスの二次側）とフレームグランドの間に、コンデンサーＣ０が設けられる。このコンデンサーＣ０には、ＡＣ−ＤＣ電源回路８１の電位の安定化や、ＡＣ−ＤＣ電源回路８１で発生した高調波をグランドに逃がす機能を持たせてもよい。
【００４８】
そして、このコンデンサーＣ０の両端の電圧が判定回路９に入力される。接地線の抵抗成分によって、誤配線コンセント７０が中性線に流すべき電流を接地線に流すと、複合機１００のグランド（フレームグランド）の電位が変化する。この変化はコンデンサーの両端の電位差の変化として現れる。このように、判定回路９は、コンデンサーの両端の電位差（の変動）に基づき、建物内に誤配線コンセント７０があるか旨の判定信号Ｓ１を出力する。
【００４９】
（判定回路９）
次に、図４を用いて、実施形態に係る判定回路９の一例を説明する。図４は、実施形態に係る判定回路９の一例を示す図である。
【００５０】
図４に示すように、判定回路９は、入力フィルター回路９１と、計装アンプ回路９２と、比較回路９３を含む。入力フィルター回路９１は、ダイオード９１Ｄ、コイル９１Ｌ、抵抗９１Ｒ、コンデンサー９１Ｃ１、９１Ｃ２を含む。
【００５１】
判定回路９のダイオード９１Ｄによって、誤配線コンセント７０が接地線に流し込む交流電流に起因するフレームグランドの電圧変動のうち、半波が取り出される。言い換えると、順方向に電圧が印加されている状態（半波）をダイオード９１Ｄは取り出して、整流する（半波整流）。コイル９１Ｌ、抵抗９１Ｒ、コンデンサー９１Ｃ１、コンデンサー９１Ｃ２は、整流された電圧の平滑化を行う。入力フィルター回路９１の出力電圧Ｖ１（平滑化された電圧）と、出力電圧Ｖ２（グランド側の電圧）の電位差は、誤配線コンセント７０に起因するフレームグランドの変化幅（交流電圧の振幅）が大きいほど大きくなり、変化幅が小さいほど小さくなる。
【００５２】
建物内に誤配線コンセント７０がなく、誤配線コンセント７０が接地線に流し込む交流電流に起因するフレームグランドの電圧変動が無ければ、入力フィルター回路９１の出力電圧Ｖ１と出力電圧Ｖ２の差は、ゼロ、又は、ほぼゼロとなる。建物内に誤配線コンセント７０が存在し、誤配線コンセント７０が接地線に交流電流に流し込む状態のとき、入力フィルター回路９１の出力電圧Ｖ１と出力電圧Ｖ２の差は、電位変動の振幅に応じた大きさとなる。
【００５３】
計装アンプ回路９２は、２つ又は３つのオペアンプ（不図示）や複数の抵抗を含む回路である。計装アンプ回路９２は、入力フィルター回路９１の出力電圧Ｖ１と出力電圧Ｖ２の電位差を増幅するとともに、入出力のインピーダンス変換を行う回路である。また、計装アンプ回路９２は、コモンノイズを除去する機能も有する。計装アンプ回路９２の出力電圧Ｖ３は、入力フィルター回路９１の出力電圧Ｖ１と出力電圧Ｖ２の電位差が大きいほど大きくなり、電位差が小さいほど小さくなる。
【００５４】
建物内に誤配線コンセント７０がなく、フレームグランドの電位変動が無ければ、計装アンプ回路９２の出力電圧Ｖ３の値は、ゼロ、又は、ほぼゼロとなる。建物内に誤配線コンセント７０が存在し、フレームグランドの電位変動が生じているとき、計装アンプ回路９２の出力電圧Ｖ３の値は、電位変動（交流電圧）の振幅に応じた値となる。
【００５５】
比較回路９３は、コンパレーター９３ＣＯＭ、コンデンサー９３Ｃ３、コンデンサー９３Ｃ４、抵抗９３Ｒ１、抵抗９３Ｒ２、可変抵抗９３ＶＲを含む。コンパレーター９３ＣＯＭの＋入力端子には、計装アンプ回路９２の出力電圧Ｖ３が入力される。コンパレーター９３ＣＯＭの−入力端子には、基準電圧Ｖｒｅｆが入力される。コンパレーター９３ＣＯＭは、建物内に誤配線コンセント７０があるか否か（誤配線コンセント７０が接地線に電流を流すことによるフレームグランドの変動が生じているか否か）を示す判定信号Ｓ１を出力する。計装アンプ回路９２の出力電圧Ｖ３が基準電圧Ｖｒｅｆよりも大きいとき、コンパレーター９３ＣＯＭは、判定信号Ｓ１としてＨｉｇｈを出力する。計装アンプ回路９２の出力電圧Ｖ３が基準電圧Ｖｒｅｆよりも小さいとき、コンパレーター９３ＣＯＭは、判定信号Ｓ１としてＬｏｗを出力する。
【００５６】
基準電圧Ｖｒｅｆは、電源Ｖｃｃと抵抗９３Ｒ１と可変抵抗９３ＶＲによって生成される。比較回路９３は、電源Ｖｃｃに抵抗９３Ｒ１の一端を接続し、抵抗９３Ｒ１の他端と可変抵抗９３ＶＲの一端を接続し、可変抵抗の他端とグランドを接続した直列回路を含む。抵抗９３Ｒ１と可変抵抗９３ＶＲの間の電圧値（基準電圧Ｖｒｅｆ）は、抵抗９３Ｒ１と可変抵抗９３ＶＲの比によって定まる。可変抵抗の抵抗値を変化させることにより、基準電圧Ｖｒｅｆの大きさを調整することができる。
【００５７】
基準電圧Ｖｒｅｆの大きさは適宜定めることができる。例えば、一時的なノイズ発生時の計装アンプ回路９２の出力電圧Ｖ３の値を参照し、ノイズによるフレームグランドの変動では、判定信号Ｓ１がＨｉｇｈとならない程度の大きさとすることができる。
【００５８】
比較回路９３（コンパレーター９３ＣＯＭ）が出力する判定信号Ｓ１は、制御部１（ＣＰＵ１０）に入力される。制御部１（ＣＰＵ１０）は、判定信号Ｓ１がＨｉｇｈであれば、建物内に誤配線コンセント７０があると認識する。一方、制御部１（ＣＰＵ１０）は、判定信号Ｓ１がＬｏｗであれば、建物内に誤配線コンセント７０がないと認識する。
【００５９】
（誤配線コンセント７０の有無の判定処理の流れ）
次に、図５、図６に基づき、実施形態に係る複合機１００での誤配線コンセント７０の有無の判定処理の流れの一例を示す。図５は、実施形態に係る複合機１００での誤配線コンセント７０の有無の判定処理の流れの一例を示すフローチャートである。図６は、実施形態に係る複合機１００の表示パネル２１に表示されるメッセージ画面Ｓ２の一例を示す図である。
【００６０】
図５のスタートは、複合機１００の主電源ＯＮや、省電力モードから通常モードへの復帰により制御部１が起動した時点である。省電力モードのような制御部１への電力供給が一部又は全部停止される期間を除き、図５のフローチャートを制御部１に実行させることができる。
【００６１】
まず、制御部１は、誤配線コンセント７０の有無の判定処理を実行する時点であるか否かの確認を続ける（ステップ♯１、ステップ♯１のＮｏ→ステップ♯１）。本実施形態の複合機１００では、複合機１００がコピーやスキャンや送信やプリントのようなジョブを実行している間、判定処理を行わないようにする。ジョブの実行中、複合機１００の消費電力は大きくなるため、ジョブ実行中では、複合機１００自体が中性線やフレームグランドの電位を動かす場合があるためである。つまり、複合機１００がジョブを実行していないことを判定処理の開始条件の１つとすることができる。
【００６２】
また、通信Ｉ／Ｆ部５に電流検知抵抗Ｒ１を設け、判定回路９が第１計測電圧に基づき判定を行う構成のとき、通信Ｉ／Ｆ部５がＰＣ２００や通信Ｉ／Ｆ部５に接続されたＰＣ２００以外の機器とデータ通信を行っている間、判定処理を行わないようにする。なお、制御部１は、判定処理を行うとき、通信Ｉ／Ｆ部５に通信を行わせず、また、ＰＣ２００の通信Ｉ／Ｆ部２０１に向けて一定時間、通信を停止すべき旨の命令を通信Ｉ／Ｆ部５に送信させてもよい。データ通信に起因する電流が電流検知抵抗Ｒ１に流れる可能性があり、誤配線コンセント７０があると誤検知する可能性があるためである。つまり、通信Ｉ／Ｆ部５がデータ通信を行っていないことや、通信Ｉ／Ｆ部５の単位時間あたりのデータ通信量が予め定められた制限値以下であることを判定処理の開始条件のうち１つとしてもよい。
【００６３】
また、判定処理の実行回数を減らし、制御部１の処理負荷を軽くするため、直前の判定処理から次の判定処理までは、少なくとも所定時間は空けるといった条件を定めてもよい。所定時間は、１日、数分、数十分、数時間、十数時間、１週間のように適宜定めることができる。なお、所定時間をゼロとして、制御部１に判定処理を繰り返させることもできる。
【００６４】
誤配線コンセント７０の有無の判定処理を実行する時点であるとき（ステップ♯１のＹｅｓ）、制御部１は、判定信号Ｓ１のレベル（大きさ）を確認する（ステップ♯２）。なお、判定回路９が第１計測電圧に基づく判定のために電流検知抵抗Ｒ１が通信Ｉ／Ｆ部５に設けられているとき、制御部１は、電流検知抵抗Ｒ１の保護用のバイパススイッチ回路ＳＷ１をＯＦＦ状態とし、電流検知抵抗Ｒ１に通電させる（ステップ♯２）。本実施形態では、判定回路９は、誤配線コンセント７０が存在すると判定したときＨｉｇｈを出力し、誤配線コンセント７０が存在しない判定したときＬｏｗを出力する。そして、制御部１は、判定信号Ｓ１がＨｉｇｈかＬｏｗかを認識し、誤配線コンセント７０があるか否かを認識する（ステップ♯３）。
【００６５】
判定信号Ｓ１のレベルがＬｏｗであり、誤配線コンセント７０無し、と制御部１が認識したとき（ステップ♯３のＮｏ）、フローはステップ♯１に戻る。一方、判定信号Ｓ１のレベルがＨｉｇｈであり、誤配線コンセント７０有り、と制御部１が認識したとき（ステップ♯３のＹｅｓ）、制御部１は、メッセージ画面Ｓ２を表示パネル２１に表示させる（ステップ♯４）。
【００６６】
図６は、メッセージ画面Ｓ２の一例を示す。メッセージ画面Ｓ２は、コンセント７の誤配線に関するメッセージを表示する画面である。メッセージ画面Ｓ２には、各種メッセージを表示させることができる。
【００６７】
図６に示すように、制御部１は、建物内（同一構内、建屋内）に、中性線の端子（差込口）に接地線が接続され、接地線の端子（差込口）に中性線が接続された誤配線コンセント７０があることを使用者に知らせるメッセージを表示パネル２１に表示させてもよい。
【００６８】
また、制御部１は、複合機１００やＰＣ２００で故障が発生する可能性があることを知らせるメッセージや、推奨する通信方法のメッセージや、使用すべきでない通信方法のメッセージを表示パネル２１に表示させてもよい。
【００６９】
また、制御部１は、建物の配線の調査の必要性を知らせるメッセージや、誤配線コンセント７０がブレーカーのような屋内配線で用いられる機器の誤動作を引き起こしている可能性を知らせるメッセージや、誤配線コンセント７０によって複合機１００のような機器の動作が不安定となっている可能性を知らせるメッセージや、正常な配線とすることにより、複合機１００やＰＣ２００の設置数を増やし得る可能性を知らせるメッセージを表示パネル２１に表示させてもよい。
【００７０】
また、判定回路９が第１計測電圧に基づく判定のために電流検知抵抗Ｒ１が通信Ｉ／Ｆ部５に設けられているとき、制御部１は、電流検知抵抗Ｒ１の保護用のバイパススイッチ回路ＳＷ１をＯＮ状態とし、電流検知抵抗Ｒ１に電流を流させない（ステップ♯５）。そして、フローは、ステップ♯１に戻る。
【００７１】
このようにして、実施形態に係る画像形成装置（複合機１００）は、３相４線式の交流電源Ｐのうち何れか１つのＬ線と３相４線式の交流電源Ｐの中性線と接続される電源装置８と、ケーブル３００を介して他の機器と接続され、他の機器と通信を行うための通信Ｉ／Ｆ部５と、中性線を接続すべき端子に接地線を接続し、接地線を接続すべき端子に中性線を接続する誤配線がなされたコンセント７である誤配線コンセント７０が建物内にあるか否かをフレームグランドの電圧変動に基づき判定するための回路であって、判定結果に応じたレベルの信号である判定信号Ｓ１を出力する判定回路９と、判定信号Ｓ１に基づき誤配線コンセント７０があるか否かを認識し、誤配線コンセント７０があると認識したとき、誤配線に関するメッセージを表示部に表示させる制御部１と、を含む。
【００７２】
これにより、３相４線の配電方式の建物内に配線に誤りがあるコンセント７があるか否かを検知することができる。具体的に、接地線用の端子（差込口）に中性線が接続され、中性線用の端子（差込口）に接地線が接続されている誤配線コンセント７０があるか否かを認識することができる。また、誤配線コンセント７０に流れる電流によって、通信Ｉ／Ｆ部５の回路で故障が生ずる可能性があるか否かを判定することができる。また、建物内に誤配線コンセント７０があることを使用者に知らせることができる。つまり、建物内の配電設備（電気設備）の異常を解消する機会を使用者に与えることかできる。また、誤配線コンセント７０が建物内にあると、ブレーカーのような配電部材の誤作動によって、複合機１００やコンピューターのような電気機器４００の設置可能数が、全てのコンセント７が正しく配線されている場合よりも少なくなる場合があった。しかし、建物内での誤った電気配線を正すことができるので、電気機器４００の設置数を増やすことができる場合がある。
【００７３】
また、実施形態に係る画像形成装置（複合機１００）は、通信Ｉ／Ｆ部５のコネクター５０のグランドとフレームグランドの間に設けられた電流検知抵抗Ｒ１を含む。判定回路９は、電流検知抵抗Ｒ１の両端の電位差を測ることより判定信号Ｓ１を生成する。
【００７４】
これにより、誤配線コンセント７０からグランドに流れ込む電流によって故障が生ずる箇所の電流を変換した電圧を測定することにより、建物内での誤配線コンセント７０の有無を正確に判定することができる。
【００７５】
抵抗に電流を流すと発熱する。一方、通常、通信用インターフェイスのような弱電分野では、大電流を長時間流し続けることは想定されない。そして、誤配線コンセント７０に接続された電気機器４００が動作している間、電流検知抵抗Ｒ１に電流が流れ続けることは、好ましく無い。
【００７６】
そこで、実施形態に係る画像形成装置（複合機１００）は、通信Ｉ／Ｆ部５のコネクター５０のグランドとフレームグランドの間に、電流検知抵抗Ｒ１に対して並列に設けられたバイパススイッチ回路ＳＷ１を含む。制御部１は、誤配線コンセント７０があるか否かを検知する期間内では、電流検知抵抗Ｒ１に電流が流れ、バイパススイッチ回路ＳＷ１に電流が流れないようにバイパススイッチ回路ＳＷ１をＯＦＦ状態とし、判定信号Ｓ１に基づき誤配線コンセント７０があるか否かを検知しない期間では、電流検知抵抗Ｒ１に電流に流れず、バイパススイッチ回路ＳＷ１に電流が流れるようにバイパススイッチ回路ＳＷ１をＯＮ状態とする。
【００７７】
これにより、誤配線コンセント７０の有無を検知する期間だけ電流検知抵抗Ｒ１に電流が流れるようにして、誤配線コンセント７０に接続された電気機器４００の動作中や画像形成装置（複合機１００）のジョブ実行中に、電流検知抵抗Ｒ１に電流が流れないようにする。従って、電流検知抵抗Ｒ１にできるだけ電流を流さないようにすることができ、電流検知抵抗Ｒ１の異常昇温による故障を防ぐことができる。
【００７８】
また、電源装置８は、３相４線式の交流電源Ｐからの電力に基づき直流電圧を生成する絶縁型のＡＣ−ＤＣ電源回路８１と、ＡＣ−ＤＣ電源回路８１とフレームグランドの間に設けられたコンデンサーＣ０を含む。判定回路９は、コンデンサーＣ０の両端の電位差を測ることより判定信号Ｓ１を生成する。
【００７９】
これにより、絶縁型のＡＣ−ＤＣ電源回路８１とフレームグランドとの間に設けられたコンデンサーＣ０の両端電圧を測るので、フレームグランドの変化に対応した電圧を判定回路９に入力することができる。そのため、フレームグランドの電位の変化量（変化幅）に基づき、誤配線コンセント７０の有無を正確に判定することができる。
【００８０】
また、判定回路９は、測定する部分の電位差を半波整流するとともに整流した電圧を平滑化する入力フィルター回路９１と、入力フィルター回路９１の出力を増幅する計装アンプ回路９２と、計装アンプ回路９２の出力電圧と基準電圧Ｖｒｅｆとを比較し、基準電圧Ｖｒｅｆよりも計装アンプ回路９２の出力電圧の方が大きいとき、誤配線コンセント７０がある旨を示すレベルの信号を判定信号Ｓ１として出力し、計装アンプ回路９２の出力電圧が基準電圧Ｖｒｅｆ以下のとき、誤配線コンセント７０が無い旨を示すレベルの信号を判定信号Ｓ１として出力する比較回路９３と、含む。
【００８１】
これにより、測定点でのフレームグランドの電圧変動起因した電圧変化を測り、フレームグランドで異常な交流電圧の変動に基づき判定信号Ｓ１を生成することができる。従って、建物内に誤配線コンセント７０があるか否かを正確に検知することができる。
【００８２】
画像形成装置（複合機１００）が動作することによって、フレームグランドや中性線の電位を揺らすことがある。そこで、制御部１は、画像形成装置がジョブを実行しているとき、判定信号Ｓ１に基づく誤配線コンセント７０があるか否かの認識を行わない。これにより、動作中の画像形成装置に流れる電流によって、誤配線コンセント７０があると誤検知することを防ぐことができる。
【００８３】
本発明の実施形態を説明したが、本発明の範囲はこれに限定されるものではなく、発明の主旨を逸脱しない範囲で種々の変更を加えて実施することができる。
【産業上の利用可能性】
【００８４】
本発明は、３相４線式の電源に接続される画像形成装置に利用可能である。
【符号の説明】
【００８５】
１００    複合機（画像形成装置）          １        制御部
２１      表示パネル                      ５        通信Ｉ／Ｆ部
５０      コネクター                      ７        コンセント
７０      誤配線コンセント                ８        電源装置
８１      ＡＣ−ＤＣ電源回路              ９        判定回路
９１      入力フィルター回路              ９２      計装アンプ回路
９３      比較回路                        ２００    ＰＣ
３００    ケーブル                        Ｃ０      コンデンサー
Ｒ１      電流検知抵抗                    Ｓ１      判定信号
ＳＷ１    バイパススイッチ回路            Ｖｒｅｆ  基準電圧
【図１】
0006319172.tif 000002
【図２】
0006319172.tif 000003
【図３】
0006319172.tif 000004
【図４】
0006319172.tif 000005
【図５】
0006319172.tif 000006
【図６】
0006319172.tif 000007
【図７】
0006319172.tif 000008